(57)【要約】【課題】鍼灸治療、特に頸部への施術に適し、頸部と後頭部との角度に個人差があってもこれに確実に対応することができる鍼灸治療用架台を提供すること。【解決手段】平板状の基台２の上面に伏臥姿勢での上半身を傾斜状体で支持する胴体支持基板３と頭部を支持する頭部支持基板４とを取り付けてなる鍼灸治療用架台１であって、胴体部支持基板３と頭部支持記基板４とは連結部７で屈曲自在であり、該連結部近傍において胴体部支持基板３の下面にはスタンド８が傾倒可能に取り付けられると共に基台２には前記スタンド８の傾斜角度の度合いを設定する係合位置調節部材９が取り付けられ、前記胴体部支持基板３上には柔軟材を内蔵した胴体部マット１５を、前記頭部支持基板４上には頭部マット１６をそれぞれ配置する。【選択図】図１
0003121965.tif 000002
【実用新案登録請求の範囲】
【請求項１】
床等の平面に載置される平板状の基台の上面に伏臥姿勢での上半身を傾斜状体で支持する胴体支持基板と頭部を支持する頭部支持基板とを取り付けてなる鍼灸治療用架台であって、前記頭部支持記基板はその一端部が前記基台にヒンジ部を介して固定されると共に該頭部支持基板の他端部にヒンジ部を介して前記胴体部支持基板の一端部が連結され、該胴体部支持基板の他端は前記基台の上面に当接するようになっていて、前記頭部支持基板と胴体部支持基板との連結部で屈曲させることにより略「へ」の字状を形成するようにし、前記胴体支持基板と頭部支持基板との連結部近傍において前記胴体部支持基板の下面にはスタンドが傾倒可能に取り付けられると共に前記基台には前記スタンドを選択的に係合させてその係合位置により前記胴体部支持基板と頭部支持基板との屈曲角度を可変調節するようにした係合位置調節部材が取り付けられ、前記胴体部支持基板上には柔軟材を内蔵した胴体部マットを、前記頭部支持基板上には頭部マットをそれぞれ配置したことを特徴とする鍼灸治療用架台。
【請求項２】
頭部支持基板には呼吸孔が形成され、頭部マットには鼻部及び口部が嵌合する切込凹部が形成されていることを特徴とする請求項１に記載の鍼灸治療用架台。
【考案の詳細な説明】
【技術分野】
【０００１】
本考案は、鍼灸治療用架台に係り、特に伏臥状体での治療に適する架台に関するものである。
【背景技術】
【０００２】
従来より、胴体部を支持する胴体部マットと頭部を支持する頭部マットとを各別に形成し、胴体部マットには傾斜をもたせたものがある。
【０００３】
しかし、従来の鍼灸治療用マットを使用して伏臥状体で特に頸部に鍼灸治療を施す場合、従来の胴体部マットの傾斜角度では頸部を施術に最適な角度で保持することができず、また、頸部と後頭部との角度も個人差があるため、頸部を最適な角度で保持できない、という難点があった。
【０００４】
従来より、伏臥状体で読書をする際に上半身を傾斜状体で支える傾斜基台と該傾斜基台の傾斜上端部から上方向に屈曲させて頭部を支える頭部支え部を連接し、該頭部支え部には下方を透視することができる窓を設けた伏臥学習用体支え具が提案されている。
【特許文献１】実願昭５３−１７９２８４号（実開昭５５−９５５６３号）のマイクロフィルム。
【考案の開示】
【考案が解決しようとする課題】
【０００５】
しかし、特許文献１に記載のものでは、伏臥状体で読書に適するように胴体支持基板の先端を上方に屈曲させて頭部支持基板を設けており、また、胴体支持基板の角度調整はできても頭部支持基板は固定的であるため、これをそのまま頸部施術用の鍼灸治療用架台として用いることはできない。
【０００６】
本考案が解決しようとする課題は、鍼灸治療、特に頸部への施術に適し、頸部と後頭部との角度に個人差があってもこれに確実に対応することができる鍼灸治療用架台を提供しようとするものである。
【課題を解決するための手段】
【０００７】
本考案の鍼灸治療用架台は、床等の平面に載置される平板状の基台の上面に伏臥姿勢での上半身を傾斜状体で支持する胴体支持基板と頭部を支持する頭部支持基板とを取り付けてなる鍼灸治療用架台であって、前記頭部支持記基板はその一端部が前記基台にヒンジ部を介して固定されると共に該頭部支持基板の他端部にヒンジ部を介して前記胴体部支持基板の一端部が連結され、該胴体部支持基板の他端は前記基台の上面に当接するようになっていて、前記頭部支持基板と胴体部支持基板との連結部で屈曲させることにより略「へ」の字状を形成するようにし、前記胴体支持基板と頭部支持基板との連結部近傍において前記胴体部支持基板の下面にはスタンドが傾倒可能に取り付けられると共に前記基台には前記スタンドを選択的に係合させてその係合位置により前記胴体部支持基板と頭部支持基板との屈曲角度を可変調節するようにした係合位置調節部材が取り付けられ、前記胴体部支持基板上には柔軟材を内蔵した胴体部マットを、前記頭部支持基板上には頭部マットをそれぞれ配置したことを特徴とする。
【０００８】
前記頭部支持基板には呼吸孔を形成し、頭部マットには鼻部及び口部が嵌合する切込凹部を形成するのが望ましい。
【考案の効果】
【０００９】
この鍼灸治療用架台によれば、伏臥状体での鍼灸治療に際し、胴体支持基板の下面に設けられたスタンドを基台に設けられた係合位置調節部材にその係合位置を選択して係合させることにより、胴体支持基板と頭部支持基板の傾斜角度を任意に設定することができ、被施術者の頸部の角度を最適な角度に設定保持することができる。
【００１０】
胴体支持基板の上面には胴体部マットが配置され、頭部支持基板の上には頭部マットがそれぞれ配置されているから、伏臥状体でも胸部や顔面の圧迫感はなく、また、頭部支持基板には呼吸孔が形成されると共に頭部マットには鼻部及び口部が嵌合する切込凹部が形成されているから、伏臥状体でも息苦しさは全くない。
【００１１】
不使用時には前記スタンドを折り畳むこことにより前記胴体部支持基板と頭部支持基板は扁平状体となり、基台上に重合させることができるから、保管、搬送等に至便である。
【考案を実施するための最良の形態】
【００１２】
厚手の合板によって、床等の平面に載置される平板状の基台と、その上面に伏臥姿勢での上半身を傾斜状体で支持する胴体支持基板と、頭部を支持する頭部支持基板とを形成し、前記頭部支持記基板の一端部を前記基台の一端部に蝶番を介して固定し、該頭部支持基板の他端部に蝶番を介して前記胴体部支持基板の一端部を連結する。前記胴体部支持基板の他端（自由端）は前記基台の他端側の上面に当接する長さとし、前記頭部支持基板と胴体部支持基板との連結部で屈曲させることにより略「へ」の字状を形成するようにする。前記胴体支持基板と頭部支持基板との連結部近傍において前記胴体部支持基板の下面には略Ｕ字形のスタンドを傾倒可能に取り付け、前記基台には前記スタンドの下端部が係合する係合凹部を複数個並設した係合位置調節部材を取り付けて、前記スタンドの傾斜度合いによって前記胴体部支持基板と頭部支持基板との屈曲角度を可変調節するようにする。前記胴体部支持基板上にはスポンジ等の柔軟材を内蔵した胴体部マットを、前記頭部支持基板上には頭部マットをそれぞれ配置する。なお、前記頭部支持基板には呼吸孔を形成し、頭部マットには鼻部及び口部が嵌合する切込凹部を形成する。
【実施例１】
【００１３】
図１は、本考案の鍼灸治療用架台の実施例を示す側面図、図２は胴体部マット及び頭部マットを取り外した状態の斜視図、図３はスタンド及び係合位置調節部材を示す正面図、図４は胴体部マット及び頭部マットを示す斜視図である。
【００１４】
図において、１は鍼灸治療用架台全体を示し、被施術者Ｈ１の特に頸部Ｈ２への施術に適するものであり、２は床等の平面に載置される平板状の基台、３は被施術者Ｈ１が伏臥状体で寝た際に上半身Ｈ３を支持する胴体支持基板、４は頭部Ｈ４を支持する頭部支持基板であり、これら基台２、胴体支持基板３及び頭部支持基板４は厚手の合板によって形成される。なお、前記頭部支持基板４は金属板材で形成して外周部を折曲げ加工する等の手段により強度をもたせる形態で形成することも可能である。前記基台２の一端部２ａに前記頭部支持基板４の一端部４ａを蝶番等のヒンジ部５を介して固定する共に該頭部支持基板４の他端部４ｂに前記胴体支持基板３の一端部３ａを蝶番等のヒンジ部６で連結する。
【００１５】
前記胴体部支持基板３の他端（自由端）３ｂは前記基台２の他端２ｂ側の上面に当接する長さとし、前記頭部支持基板４と胴体部支持基板３との連結部７で屈曲させることにより略「へ」の字状を形成するようにする。前記連結部７の近傍において前記胴体部支持基板３の下面には略Ｕ字形のスタンド８を傾倒可能に取り付け、前記基台２には前記スタンド８の下端部が係合する係合凹部９ａを複数個（実施例では４個）並設した係合位置調節部材９を取り付けて、前記スタンド８の下端部８ｂを前記係合凹部９ａに選択的に係合させることでその係合位置により前記胴体部支持基板３と頭部支持基板４との屈曲角度を可変調節するようにする。
【００１６】
前記スタンド８は、図３に示すように、シャフト１０の左右にＵ字形の脚部８ａ，８ａが２個並設されており、該シャフト１０を前記胴体部支持基板３の下面に設けた２個の軸受け金具１１で軸支することにより傾倒自在となっており、前記２個の脚部８ａに対応させて前記基台２には係合位置調節部材９が２個並設されている。なお、１２は前記シャフト１０の両端部側に設けた操作レバーである。
【００１７】
前記頭部支持基板４には、略鍵孔形状をなした呼吸孔１３を形成してあり、また、前記胴体部支持基板３上にはスポンジ等の柔軟材を内蔵した胴体部マット１５を、前記頭部支持基板４上には頭部マット１６をそれぞれ配置する。前記胴体部マット１５及び頭部マット１６の材質等は従来から使用されている鍼灸治療用マットと同様であるが、本考案のものでは前記胴体部マット１５には被施術者Ｈ１の喉部が嵌合する切込凹部１７が、また、頭部マット１６には鼻部及び口部が嵌合する呼吸孔１８がそれぞれ形成されている。前記胴体部マット１５及び頭部マット１６は前記胴体部支持基板３及び頭部支持基板４に適宜な手段で固定するようにしてもよく、単に載置する形式としてもよい。
【００１８】
使用に際しては、前記脚部８ａの下端部８ｂを前記係合位置調節部材９の任意の係合凹部９ａに係合させることにより前記胴体部支持基板３と頭部支持基板４との屈曲角度が設定されるから、被施術者Ｈ１の頸部Ｈ２の角度に個人差があっても確実に対応させることができる。
【００１９】
また、不使用時には前記脚部８ａを折り畳むこことにより前記胴体部支持基板３と頭部支持基板４は扁平状体となり、基台２上に重合させることができるから、保管、搬送等に至便である。
【図面の簡単な説明】
【００２０】
【図１】鍼灸治療用架台の実施例を示す側面図である。
【図２】胴体部マット及び頭部マットを取り外した状態の斜視図である。
【図３】スタンド及び係合位置調節部材を示す正面図である。
【図４】胴体部マット及び頭部マットを示す斜視図である。
【符号の説明】
【００２１】
１    鍼灸治療用架台
２    基台
３    胴体部支持基板
４    頭部支持基板
５    ヒンジ部
６    ヒンジ部
７    連結部
８    スタンド
９    係合位置調節部材
１５    胴体部マット
１６    頭部マット
１８    呼吸孔
【図１】
0003121965.tif 000003
【図２】
0003121965.tif 000004
【図３】
0003121965.tif 000005
【図４】
0003121965.tif 000006